【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を備え、
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、方法。
【請求項２】
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、請求項１に記載の方法。
【請求項３】
サブフレームｎ−１において前記成功したＣＣＡを検出することに失敗したことに応答して、構成されたウインドウの中の後続のサブフレームｎ＋１において前記ランダムアクセス信号を送信することをさらに含む、請求項１に記載の方法。
【請求項４】
サブフレームｎ−２においてダウンリンクアクティビティ信号を検出したことに応答して、前記次のランダムアクセス機会の後の後続のランダムアクセス機会において前記ランダムアクセス信号を送信することをさらに含む、請求項１に記載の方法。
【請求項５】
ダウンリンクアクティビティ信号を前記監視することが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、請求項１に記載の方法。
【請求項６】
前記ダウンリンクアクティビティ信号が、
フレームフォーマットインジケータと、
ダウンリンクチャネル予約信号と、
のうちの１つまたは複数を含む、請求項１に記載の方法。
【請求項７】
ワイヤレス通信用に構成された装置であって、
ダウンリンクアクティビティ信号を監視するための手段と、
ダウンリンクアクティビティ信号を検出しなかったことに応答して次のランダムアクセス機会を決定するための手段と、
前記次のランダムアクセス機会の前に成功したクリアチャネルアセスメント（ＣＣＡ）を検出するための手段と、
前記成功したクリアチャネルアセスメントに応答して前記次のランダムアクセス機会においてランダムアクセス信号を送信するための手段と、
を備え、
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、装置。
【請求項８】
サブフレームｎ−１において前記成功したＣＣＡを検出することに失敗したことに応答して、構成されたウインドウの中の後続のサブフレームｎ＋１において前記ランダムアクセス信号を送信するための手段をさらに含む、請求項７に記載の装置。
【請求項９】
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、請求項７に記載の装置。
【請求項１０】
サブフレームｎ−２においてダウンリンクアクティビティ信号を検出したことに応答して、前記次のランダムアクセス機会の後の後続のランダムアクセス機会において前記ランダムアクセス信号を送信するための手段をさらに含む、請求項７に記載の装置。
【請求項１１】
ダウンリンクアクティビティ信号を監視するための前記手段が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、請求項７に記載の装置。
【請求項１２】
前記ダウンリンクアクティビティ信号が、
フレームフォーマットインジケータと、
ダウンリンクチャネル予約信号と、
のうちの１つまたは複数を含む、請求項７に記載の装置。
【請求項１３】
請求項１−６のうちのいずれかに記載の方法をインプリメントするための命令を備えたコンピュータプログラム。
【手続補正２】
【補正対象書類名】明細書
【補正対象項目名】０１５７
【補正方法】変更
【補正の内容】
【０１５７】
[00168]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されることを意図されたものではなく、本明細書で開示する原理および新規の特徴に合致する最も広い範囲を与えられるべきである。
以下に本願発明の当初の特許請求の範囲に記載された発明を付記する。
［Ｃ１］
ワイヤレス通信の方法であって、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を備える、方法。
［Ｃ２］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ１に記載の方法。
［Ｃ３］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２に記載の方法。
［Ｃ４］
サブフレームｎ−１において前記成功したＣＣＡを検出することに失敗したことに応答して、構成されたウインドウの中の後続のサブフレームｎ＋１において前記ランダムアクセス信号を送信することをさらに含む、Ｃ２に記載の方法。
［Ｃ５］
サブフレームｎ−２においてダウンリンクアクティビティ信号を検出したことに応答して、前記次のランダムアクセス機会の後の後続のランダムアクセス機会において前記ランダムアクセス信号を送信することをさらに含む、Ｃ２に記載の方法。
［Ｃ６］
ダウンリンクアクティビティ信号を前記監視することが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１に記載の方法。
［Ｃ７］
前記ダウンリンクアクティビティ信号が、
フレームフォーマットインジケータと、
ダウンリンクチャネル予約信号と、
のうちの１つまたは複数を含む、Ｃ１に記載の方法。
［Ｃ８］
ワイヤレス通信用に構成された装置であって、
ダウンリンクアクティビティ信号を監視するための手段と、
ダウンリンクアクティビティ信号を検出しなかったことに応答して次のランダムアクセス機会を決定するための手段と、
前記次のランダムアクセス機会の前に成功したクリアチャネルアセスメント（ＣＣＡ）を検出するための手段と、
前記成功したクリアチャネルアセスメントに応答して前記次のランダムアクセス機会においてランダムアクセス信号を送信するための手段と、
を備える、装置。
［Ｃ９］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ８に記載の装置。
［Ｃ１０］
サブフレームｎ−１において前記成功したＣＣＡを検出することに失敗したことに応答して、構成されたウインドウの中の後続のサブフレームｎ＋１において前記ランダムアクセス信号を送信するための手段をさらに含む、Ｃ９に記載の装置。
［Ｃ１１］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ９に記載の装置。
［Ｃ１２］
サブフレームｎ−２においてダウンリンクアクティビティ信号を検出したことに応答して、前記次のランダムアクセス機会の後の後続のランダムアクセス機会において前記ランダムアクセス信号を送信するための手段をさらに含む、Ｃ９に記載の装置。
［Ｃ１３］
ダウンリンクアクティビティ信号を監視するための前記手段が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ８に記載の装置。
［Ｃ１４］
前記ダウンリンクアクティビティ信号が、
フレームフォーマットインジケータと、
ダウンリンクチャネル予約信号と、
のうちの１つまたは複数を含む、Ｃ８に記載の装置。
［Ｃ１５］
プログラムコードを記録した非一時的コンピュータ可読媒体であって、
コンピュータに、ダウンリンクアクティビティ信号を監視させるためのプログラムコードと、
前記コンピュータに、ダウンリンクアクティビティ信号を検出しなかったことに応答して次のランダムアクセス機会を決定させるためのプログラムコードと、
前記コンピュータに、前記次のランダムアクセス機会の前に成功したクリアチャネルアセスメント（ＣＣＡ）を検出させるためのプログラムコードと、
前記コンピュータに、前記成功したクリアチャネルアセスメントに応答して前記次のランダムアクセス機会においてランダムアクセス信号を送信させるためのプログラムコードと、
を備える、非一時的コンピュータ可読媒体。
［Ｃ１６］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ１５に記載の非一時的コンピュータ可読媒体。
［Ｃ１７］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１６に記載の非一時的コンピュータ可読媒体。
［Ｃ１８］
前記コンピュータに、サブフレームｎ−１において前記成功したＣＣＡを検出することに失敗したことに応答して、構成されたウインドウの中の後続のサブフレームｎ＋１において前記ランダムアクセス信号を送信させるためのプログラムコードをさらに含む、Ｃ１６に記載の非一時的コンピュータ可読媒体。
［Ｃ１９］
前記コンピュータに、サブフレームｎ−２においてダウンリンクアクティビティ信号を検出したことに応答して、前記次のランダムアクセス機会の後の後続のランダムアクセス機会において前記ランダムアクセス信号を送信させるためのプログラムコードをさらに含む、Ｃ１６に記載の非一時的コンピュータ可読媒体。
［Ｃ２０］
ダウンリンクアクティビティ信号を前記コンピュータに監視させるための前記プログラムコードが、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ１５に記載の非一時的コンピュータ可読媒体。
［Ｃ２１］
前記ダウンリンクアクティビティ信号が、
フレームフォーマットインジケータと、
ダウンリンクチャネル予約信号と、
のうちの１つまたは複数を含む、Ｃ１５に記載の非一時的コンピュータ可読媒体。
［Ｃ２２］
ワイヤレス通信用に構成された装置であって、前記装置が、
少なくとも１つのプロセッサと、
前記少なくとも１つのプロセッサに結合されたメモリと、
を備え、
前記少なくとも１つのプロセッサが、
ダウンリンクアクティビティ信号を監視することと、
ダウンリンクアクティビティ信号を検出しなかったことに応答して次のランダムアクセス機会を決定することと、
前記次のランダムアクセス機会の前に成功したクリアチャネルアセスメント（ＣＣＡ）を検出することと、
前記成功したクリアチャネルアセスメントに応答して前記次のランダムアクセス機会においてランダムアクセス信号を送信することと、
を行うように構成される、装置。
［Ｃ２３］
前記次のランダムアクセス機会がサブフレームｎにおいて発生し、サブフレームｎ−Ｍとｎ−Ｎとの間に前記ダウンリンクアクティビティ信号が検出されず、Ｍが（Ｎ＋１）≦Ｍ≦（リッスンビフォアトーク（ＬＢＴ）フレーム長さ＋Ｎ）の関係を満足し、Ｎが前記次のランダムアクセス機会の前に前記ダウンリンクアクティビティ信号がないと決定するためのサブフレームの最小数であり、
前記成功したＣＣＡが、サブフレームｎに対するランダムアクセス再同期境界の上または前で検出される、Ｃ２２に記載の装置。
［Ｃ２４］
前記ランダムアクセス再同期境界がサブフレームｎ−１と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２３に記載の装置。
［Ｃ２５］
サブフレームｎ−１において前記成功したＣＣＡを検出することに失敗したことに応答して、構成されたウインドウの中の後続のサブフレームｎ＋１において前記ランダムアクセス信号を送信するための、前記少なくとも１つのプロセッサの構成をさらに含む、Ｃ２３に記載の装置。
［Ｃ２６］
サブフレームｎ−２においてダウンリンクアクティビティ信号を検出したことに応答して、前記次のランダムアクセス機会の後の後続のランダムアクセス機会において前記ランダムアクセス信号を送信するための、前記少なくとも１つのプロセッサの構成をさらに含む、Ｃ２３に記載の装置。
［Ｃ２７］
ダウンリンクアクティビティ信号を監視するための、前記少なくとも１つのプロセッサの前記構成が、サブフレームｎ−Ｍとｎ−３との間に実行され、Ｍが関係４≦Ｍ≦１０を満足し、前記次のランダムアクセス機会がサブフレームｎにおいて発生し、
前記成功したＣＣＡがサブフレームｎに対するランダムアクセス再同期境界の上または前で検出され、前記ランダムアクセス再同期境界がサブフレームｎ−２と保証されたチャネル予約信号境界との間に発生し、前記保証されたチャネル予約信号境界が、次のアップリンクサブフレーム上のアップリンク送信の前に送信される１つまたは複数のチャネル予約信号の最小持続時間を含む、Ｃ２２に記載の装置。
［Ｃ２８］
前記ダウンリンクアクティビティ信号が、
フレームフォーマットインジケータと、
ダウンリンクチャネル予約信号と、
のうちの１つまたは複数を含む、Ｃ２２に記載の装置。